(57)【特許請求の範囲】
【請求項１】
表示に変化がある部分のみ表示部の画像データを書き換えることができる部分書き換え可能なディスプレイであって、
外部のホストコントローラからの入力信号に含まれる、前記部分書き換え時において画面上のどの位置の書き換えであるのかを示す座標情報を含む表示座標信号を基に、前記入力信号に含まれる画像データ信号が、部分書き換え時のものであるか、または全画面書き換え時のものであるかを判定する部分書き換え判定部と、
前記画像データ信号を一時保存するためのメモリと、
前記表示部のゲートドライバを駆動するゲート信号を生成するゲートタイミング生成部と、
前記表示部のソースドライバを駆動するソース信号を生成するソースタイミング生成部と、
前記ゲートタイミング生成部に対する内部同期信号を生成する自動タイミング生成部と、
前記部分書き換え判定部の判定結果信号に応じて、前記画像データ信号が部分書き換え時のものであると判定された場合には、前記自動タイミング生成部で生成された内部同期信号が前記ゲートタイミング生成部へ伝達されるように切り替えられ、前記画像データ信号が全画面書き換え時のものであると判定された場合には、前記ホストコントローラからの同期信号が前記ゲートタイミング生成部へ伝達されるように切り替えられる第１スイッチと、前記画像データ信号が部分書き換え時のものであると判定された場合には、前記自動タイミング生成部で生成された内部同期信号がソースタイミング生成部へ伝達されるように切り替えられ、前記画像データ信号が全画面書き換え時のものであると判定された場合には、前記ホストコントローラからの同期信号がソースタイミング生成部へ伝達されるように切り替えられる第２スイッチと、前記画像データ信号が全画面書き換え時のものであると判定された場合には、前記ホストコントローラからの画像データ信号が前記ソースタイミング生成部へ伝達されるように切り替えられ、前記画像データ信号が部分書き換え時のものであると判定された場合には、前記メモリに保存された画像データ信号が前記ソースタイミング生成部へ伝達されるように切り替えられる第３スイッチと
を備え、
前記部分書き換え判定部で、前記画像データ信号が部分書き換え時のものであると判定された場合に、
前記自動タイミング生成部は、前記表示部の表示に変化がある部分については、あらかじめ定められた周期の内部同期信号を生成するとともに、前記表示部の表示に変化がない部分については、前記表示部の表示に変化がある部分の書き換え周期よりも短い書き換え周期の内部同期信号を生成し、
前記部分書き換え判定部で、前記画像データ信号が部分書き換え時のものであると判定された場合に、前記自動タイミング生成部からのメモリ制御信号に応じて、前記メモリは、前記表示部の表示に変化がある部分で、保存した前記画像データ信号を前記ソースタイミング生成部に出力する
ディスプレイ。
【請求項２】
前記部分書き換え判定部は、前記表示座標信号から、書き換えられる画像データの位置を解読する書き換え座標情報解読部を有する
請求項１に記載のディスプレイ。
【請求項３】
前記自動タイミング生成部は、画像データの部分書き換えが完了した場合に、外部に部分書き換え完了信号を送信する
請求項１または請求項２に記載のディスプレイ。
【請求項４】
前記ディスプレイは、液晶ディスプレイである
請求項１から請求項３までの何れか１項に記載のディスプレイ。
【請求項５】
表示に変化がある部分のみ表示部の画像データを書き換えることができる部分書き換え可能なディスプレイの駆動方法であって、
外部のホストコントローラからの入力信号に含まれる、前記部分書き換え時において画面上のどの位置の書き換えであるのかを示す座標情報を含む表示座標信号を基に、前記入力信号に含まれる画像データ信号が、部分書き換え時のものであるか、または全画面書き換え時のものであるかを判定する部分書き換え判定ステップと、
前記部分書き換え判定ステップで、前記画像データ信号が部分書き換え時のものであると判定された場合に、前記表示部のゲートドライバを駆動するゲート信号を生成するゲートタイミング生成部と、前記表示部のソースドライバを駆動するソース信号を生成するソースタイミング生成部に対して、内部同期信号を自動タイミング生成部で生成するタイミング生成ステップと、
前記部分書き換え判定ステップで、前記画像データ信号が部分書き換え時のものであると判定された場合に、前記画像データ信号をメモリに保存するとともに、前記表示部の表示に変化がある部分で、保存した前記画像データ信号を前記表示部に出力する保存ステップと、を有し、
前記タイミング生成ステップは、前記表示部の表示に変化がある部分については、あらかじめ定められた周期の内部同期信号を生成し、
前記表示部の表示に変化がない部分については、前記表示部の表示に変化がある部分の書き換え周期よりも短い書き換え周期の内部同期信号を生成し、
前記ディスプレイは、
前記部分書き換え判定ステップにおける判定結果信号に応じて、前記画像データ信号が部分書き換え時のものであると判定された場合には、前記自動タイミング生成部で生成された内部同期信号が前記ゲートタイミング生成部へ伝達されるように切り替えられ、前記画像データ信号が全画面書き換え時のものであると判定された場合には、前記ホストコントローラからの同期信号が前記ゲートタイミング生成部へ伝達されるように切り替えられる第１スイッチと、前記画像データ信号が部分書き換え時のものであると判定された場合には、前記自動タイミング生成部で生成された内部同期信号がソースタイミング生成部へ伝達されるように切り替えられ、前記画像データ信号が全画面書き換え時のものであると判定された場合には、前記ホストコントローラからの同期信号がソースタイミング生成部へ伝達されるように切り替えられる第２スイッチと、前記画像データ信号が全画面書き換え時のものであると判定された場合には、前記ホストコントローラからの画像データ信号が前記ソースタイミング生成部へ伝達されるように切り替えられ、前記画像データ信号が部分書き換え時のものであると判定された場合には、前記メモリに保存された画像データ信号が前記ソースタイミング生成部へ伝達されるように切り替えられる第３スイッチと
を備えるディスプレイの駆動方法。
【発明の詳細な説明】
【技術分野】
【０００１】
この発明は、ペン等による手書き入力（以下、「ペン入力」と称する）が可能なタッチパネル付きディスプレイおよびその駆動方法に関する。
【背景技術】
【０００２】
近年、ペン入力が可能なタッチパネル付きディスプレイにおいて、１２０Ｈｚ（８．３ｍｓ）のレポートレートでタッチ検出することが主流になってきている。一方、画像データは、６０Ｈｚ（１６．６ｍｓ）の周期で書き換えられることが一般的である。なお、タッチ座標の計算結果は、描画計算処理されてディスプレイの表示に反映される。
【０００３】
図７は、従来のペン入力が可能なタッチパネル付きディスプレイにおける表示とタッチ計算とのタイミングを示す説明図である。図７において、タイミングＡ（Ｎフレーム）でディスプレイの下部をタッチした場合、描画計算処理が１フレーム（Ｎ＋１フレーム）内で完了したとしても、タッチが表示に反映されるのは、タイミングＢ（Ｎ＋２フレーム）となる。
【０００４】
このとき、例えばディスプレイが液晶ディスプレイ（ＬＣＤ：Ｌｉｑｕｉｄ  Ｃｒｙｓｔａｌ  Ｄｉｓｐｌａｙ）である場合に、液晶の応答を考慮すると、タッチが表示に反映されるまでに、５０ｍｓ以上の時間がかかる。そのため、ペン入力を行った際に、タッチから表示までの遅延が大きく、筆跡遅れが生じ、ユーザが違和感を覚えるという問題がある。
【０００５】
これに対して、画像データが６０Ｈｚの周期で書き換えられるために筆跡遅れが生じている点に鑑み、画像データを１２０Ｈｚの周期で書き換えることにより、筆跡遅れを解消することが考えられる。しかしながら、この場合には、ディスプレイの消費電力が増加するという問題がある。
【０００６】
一方、ペン入力によって表示が変化する範囲が部分的であることから、表示に変化がある部分のみ画像データを高速に書き換えることにより、筆跡遅れを解消することが考えられる。ここで、表示に変化がある部分のみ画像データを書き換えることができるディスプレイが知られている（例えば、特許文献１参照）。
【０００７】
特許文献１に記載の部分書き換え可能なディスプレイでは、ゲートパルス発生部にＡＮＤ回路を設け、表示に変化がない部分は、ＡＮＤ回路を用いてゲート出力をパネルに印加しないようにし、同時にソース出力もパネルに印加しないようにすることで、前フレームと画像が異なっている部分のみ表示を変更し、消費電力を低減している。
【先行技術文献】
【特許文献】
【０００８】
【特許文献１】特開２００１−２８２２０９号公報
【発明の概要】
【発明が解決しようとする課題】
【０００９】
しかしながら、従来技術には、以下のような課題がある。
特許文献１に記載のディスプレイでは、表示に変化がある部分のみ画像データを書き換えることができるものの、画像データの書き換え周期が６０Ｈｚであることから、画像データを高速に書き換えることはできず、図７に示したように、タッチが表示に反映されるまでに時間がかかり、筆跡遅れを解消することができないという問題がある。
【００１０】
この発明は、上記のような課題を解決するためになされたものであり、部分書き換えによって消費電力を低減しながら、ペン入力を高速にフィードバック表示することにより、筆跡遅れを解消してユーザの違和感を解決することができるディスプレイおよびその駆動方法を得ることを目的とする。
【課題を解決するための手段】
【００１１】
この発明に係るディスプレイは、表示に変化がある部分のみ表示部の画像データを書き換えることができる部分書き換え可能なディスプレイであって、外部のホストコントローラからの入力信号に含まれる、部分書き換え時において画面上のどの位置の書き換えであるのかを示す座標情報を含む表示座標信号を基に、入力信号に含まれる画像データ信号が、部分書き換え時のものであるか、または全画面書き換え時のものであるかを判定する部分書き換え判定部と、画像データ信号を一時保存するためのメモリと、表示部のゲートドライバを駆動するゲート信号を生成するゲートタイミング生成部と、表示部のソースドライバを駆動するソース信号を生成するソースタイミング生成部と、ゲートタイミング生成部に対する内部同期信号を生成する自動タイミング生成部と、部分書き換え判定部の判定結果信号に応じて、画像データ信号が部分書き換え時のものであると判定された場合には、自動タイミング生成部で生成された内部同期信号がゲートタイミング生成部へ伝達されるように切り替えられ、画像データ信号が全画面書き換え時のものであると判定された場合には、ホストコントローラからの同期信号がゲートタイミング生成部へ伝達されるように切り替えられる第１スイッチと、画像データ信号が部分書き換え時のものであると判定された場合には、自動タイミング生成部で生成された内部同期信号がソースタイミング生成部へ伝達されるように切り替えられ、画像データ信号が全画面書き換え時のものであると判定された場合には、ホストコントローラからの同期信号がソースタイミング生成部へ伝達されるように切り替えられる第２スイッチと、画像データ信号が全画面書き換え時のものであると判定された場合には、ホストコントローラからの画像データ信号がソースタイミング生成部へ伝達されるように切り替えられ、画像データ信号が部分書き換え時のものであると判定された場合には、メモリに保存された画像データ信号がソースタイミング生成部へ伝達されるように切り替えられる第３スイッチとを備え、部分書き換え判定部で、画像データ信号が部分書き換え時のものであると判定された場合に、自動タイミング生成部は、表示部の表示に変化がある部分については、あらかじめ定められた周期の内部同期信号を生成するとともに、表示部の表示に変化がない部分については、表示部の表示に変化がある部分の書き換え周期よりも短い書き換え周期の内部同期信号を生成し、部分書き換え判定部で、画像データ信号が部分書き換え時のものであると判定された場合に、自動タイミング生成部からのメモリ制御信号に応じて、メモリは、表示部の表示に変化がある部分で、保存した画像データ信号をソースタイミング生成部に出力するものである。
【００１２】
この発明に係るディスプレイの駆動方法は、表示に変化がある部分のみ表示部の画像データを書き換えることができる部分書き換え可能なディスプレイの駆動方法であって、外部のホストコントローラからの入力信号に含まれる、部分書き換え時において画面上のどの位置の書き換えであるのかを示す座標情報を含む表示座標信号を基に、入力信号に含まれる画像データ信号が、部分書き換え時のものであるか、または全画面書き換え時のものであるかを判定する部分書き換え判定ステップと、部分書き換え判定ステップで、画像データ信号が部分書き換え時のものであると判定された場合に、表示部のゲートドライバを駆動するゲート信号を生成するゲートタイミング生成部と、表示部のソースドライバを駆動するソース信号を生成するソースタイミング生成部に対して、内部同期信号を自動タイミング生成部で生成するタイミング生成ステップと、部分書き換え判定ステップで、画像データ信号が部分書き換え時のものであると判定された場合に、画像データ信号をメモリに保存するとともに、表示部の表示に変化がある部分で、保存した画像データ信号を表示部に出力する保存ステップと、を有し、タイミング生成ステップは、表示部の表示に変化がある部分については、あらかじめ定められた周期の内部同期信号を生成し、表示部の表示に変化がない部分については、表示部の表示に変化がある部分の書き換え周期よりも短い書き換え周期の内部同期信号を生成し、ディスプレイは、部分書き換え判定ステップにおける判定結果信号に応じて、画像データ信号が部分書き換え時のものであると判定された場合には、自動タイミング生成部で生成された内部同期信号がゲートタイミング生成部へ伝達されるように切り替えられ、画像データ信号が全画面書き換え時のものであると判定された場合には、ホストコントローラからの同期信号がゲートタイミング生成部へ伝達されるように切り替えられる第１スイッチと、画像データ信号が部分書き換え時のものであると判定された場合には、自動タイミング生成部で生成された内部同期信号がソースタイミング生成部へ伝達されるように切り替えられ、画像データ信号が全画面書き換え時のものであると判定された場合には、ホストコントローラからの同期信号がソースタイミング生成部へ伝達されるように切り替えられる第２スイッチと、画像データ信号が全画面書き換え時のものであると判定された場合には、ホストコントローラからの画像データ信号がソースタイミング生成部へ伝達されるように切り替えられ、画像データ信号が部分書き換え時のものであると判定された場合には、メモリに保存された画像データ信号がソースタイミング生成部へ伝達されるように切り替えられる第３スイッチとを備えるものである。
【発明の効果】
【００１３】
この発明に係るディスプレイおよびその駆動方法によれば、自動タイミング生成部（タイミング生成ステップ）は、表示部の表示に変化がある部分については、あらかじめ定められた周期の内部同期信号を生成するとともに、表示部の表示に変化がない部分については、表示部の表示に変化がある部分の書き換え周期よりも短い書き換え周期の内部同期信号を生成し、メモリ（保存ステップ）は、表示部の表示に変化がある部分で、保存した画像データ信号を表示部に出力する。
そのため、部分書き換えによって消費電力を低減しながら、ペン入力を高速にフィードバック表示することにより、筆跡遅れを解消してユーザの違和感を解決することができる。
【図面の簡単な説明】
【００１４】
【図１】この発明の実施の形態１に係るディスプレイを示すブロック構成図である。
【図２】この発明の実施の形態１に係るディスプレイの部分書き換え判定部を詳細に示すブロック図である。
【図３】この発明の実施の形態１に係るディスプレイの自動タイミング生成部が生成する内部同期信号を示す説明図である。
【図４】この発明の実施の形態１に係るディスプレイの自動タイミング生成部の動作を説明するためのブロック図である。
【図５】この発明の実施の形態１に係るディスプレイの書き換え周期を示す説明図である。
【図６】この発明の実施の形態１に係るディスプレイにおける表示とタッチ計算とのタイミングを示す説明図である。
【図７】従来のペン入力が可能なタッチパネル付きディスプレイにおける表示とタッチ計算とのタイミングを示す説明図である。
【発明を実施するための形態】
【００１５】
以下、この発明に係るディスプレイおよびその駆動方法の好適な実施の形態につき図面を用いて説明するが、各図において同一、または相当する部分については、同一符号を付して説明する。
【００１６】
なお、下記の実施の形態では、ディスプレイがＬＣＤである場合について説明するが、これに限定されず、ディスプレイは、有機発光ダイオード素子（ＯＬＥＤ：Ｏｒｇａｎｉｃ  Ｌｉｇｈｔ  Ｅｍｉｔｔｉｎｇ  Ｄｉｏｄｅ）ディスプレイ等、他のディスプレイであってもよい。
【００１７】
実施の形態１．
図１は、この発明の実施の形態１に係るディスプレイを示すブロック構成図である。図１において、ディスプレイ１は、ホストコントローラ１００と接続されている。また、ディスプレイ１は、液晶表示部１０、部分書き換え判定部２１、自動タイミング生成部２２、メモリ２３、ゲートタイミング生成部２４、ソースタイミング生成部２５およびスイッチＳＷ１〜ＳＷ３を備えている。
【００１８】
液晶表示部１０は、Ｍ行×Ｎ列の画素で構成される液晶パネル１１、Ｎ段のシフトレジスタから構成されるゲートドライバ１２、ソースドライバ１３およびＮ段のＡＮＤ素子から構成されるＡＮＤ回路１４を有している。
【００１９】
ここで、ホストコントローラ１００は、ディスプレイ１に対して、入力信号として、表示に変化がある部分のみ画像データを書き換える部分書き換え時において、画面上のどの位置の書き換えであるのかを示す座標情報を含む表示座標信号と、部分書き換え時または全画面書き換え時の画像データ信号と、画像データ信号の同期信号（水平同期信号および垂直同期信号）を出力する。
【００２０】
すなわち、近年、ホストコントローラ１００の消費電力を低減するために、部分書き換え時において、特許文献１のように全画面分の画像データ信号を送信するのではなく、書き換えられる部分のみの画像データ信号を送信する傾向にある。これにより、上述した消費電力の低減と併せて、必要な部分を素早く書き換えることにより、表示品質を向上させることができる。
【００２１】
部分書き換え判定部２１は、ホストコントローラ１００からの表示座標信号に基づいて、ホストコントローラ１００からの入力信号が、部分書き換え時のものであるか、または全画面書き換え時のものであるかを判定し、判定結果信号を自動タイミング生成部２２に出力する。
【００２２】
図２は、この発明の実施の形態１に係るディスプレイの部分書き換え判定部を詳細に示すブロック図である。図２において、部分書き換え判定部２１は、ホストコントローラ１００からの表示座標信号に基づいて、書き換えられる画像データがどの位置のものであるかを解読する書き換え座標情報解読部２１１を有している。そのため、判定結果信号は、画像データを書き換える座標情報を含んでいる。
【００２３】
自動タイミング生成部２２は、部分書き換え判定部２１からの判定結果信号が全画面書き換えであることを示す場合には、ＡＮＤ回路１４に対して、ゲートアクティブ制御信号を常時「１」で出力する。
【００２４】
一方、自動タイミング生成部２２は、部分書き換え判定部２１からの判定結果信号が部分書き換えであることを示す場合には、後述する内部同期信号、ゲートアクティブ制御信号およびメモリ制御信号を生成し、それぞれゲートタイミング生成部２４、ＡＮＤ回路１４およびメモリ２３に出力する。
【００２５】
図３は、この発明の実施の形態１に係るディスプレイの自動タイミング生成部が生成する内部同期信号を示す説明図である。図３では、部分書き換え時の内部同期信号が、全画面書き換え時の内部同期信号と並べて示されている。なお、図３では、本来それぞれ１つの信号である内部同期信号を、分かりやすくするために分解して示している。
【００２６】
図３において、自動タイミング生成部２２は、画像データを書き換える位置については、全画面書き換え時の内部同期信号と同じ間隔で内部同期信号を生成する。一方、自動タイミング生成部２２は、画像データを書き換えず、表示を維持する位置については、例えばクロック周波数を早くする等して、全画面書き換え時の内部同期信号よりも短い間隔で内部同期信号を生成する。
【００２７】
このように、自動タイミング生成部２２が図３で示される内部同期信号を生成することにより、表示を維持する位置について、ゲートドライバ１２のシフトレジスタを高速で進めることができ、全画面書き換えの場合と比較して、画像データの書き換えに要する時間を短縮することができる。
【００２８】
また、自動タイミング生成部２２が生成するゲートアクティブ制御信号およびメモリ制御信号は、例えば、内部同期信号と同期して、画像データを書き換える位置に対応する範囲が「１」であり、その他の範囲が「０」となる信号である。
【００２９】
なお、部分書き換え判定部２１からの判定結果信号が部分書き換えであることを示す場合に、画像データを書き換える領域の大きさは、その都度変化し、規定することができないので、ゲートドライバ１２のシフトレジスタを高速で進める期間も変化する。そのため、ホストコントローラ１００にとって、どのタイミングで次の入力信号を出力するかの判断が困難である。そこで、自動タイミング生成部２２は、画像データの部分書き換えが完了すると、ホストコントローラ１００に対して、部分書き換え完了信号を送信する。
【００３０】
図４は、この発明の実施の形態１に係るディスプレイの自動タイミング生成部の動作を説明するためのブロック図である。図４において、自動タイミング生成部２２は、画像データを書き換える座標情報を有しているので、画像データの部分書き換えが完了するタイミングを知ることができ、部分書き換え完了信号を送信することができる。これにより、ホストコントローラ１００が適切なタイミングで、入力信号を出力することができる。
【００３１】
図１に戻って、メモリ２３は、ホストコントローラ１００からの画像データ信号を一時保存し、自動タイミング生成部２２からのメモリ制御信号に応じて、画像データ信号をソースタイミング生成部２５に出力する。ここで、上述したように、メモリ制御信号は、内部同期信号と同期している。
【００３２】
ゲートタイミング生成部２４は、ホストコントローラ１００からの同期信号、または自動タイミング生成部２２からの内部同期信号に応じて、ゲートドライバ１２を駆動するタイミングを含むゲート信号を生成する。
【００３３】
ソースタイミング生成部２５は、ホストコントローラ１００からの同期信号、または自動タイミング生成部２２からの内部同期信号に応じて、ソースドライバ１３を駆動するタイミングを含むソース信号を生成する。また、ソースタイミング生成部２５は、ホストコントローラ１００からの画像データ信号またはメモリ２３からの画像データ信号に応じて、ソース信号でタイミング調整された画像データ信号を生成する。
【００３４】
スイッチＳＷ１〜ＳＷ３は、部分書き換え判定部２１からの判定結果信号が全画面書き換えであることを示す場合には、ホストコントローラ１００からの同期信号または画像データ信号側に切り替えられる。一方、スイッチＳＷ１〜ＳＷ３は、部分書き換え判定部２１からの判定結果信号が部分書き換えであることを示す場合には、自動タイミング生成部２２からの内部同期信号またはメモリ２３からの画像データ信号側に切り替えられる。
【００３５】
続いて、上記構成のディスプレイ１において、部分書き換え判定部２１からの判定結果信号が全画面書き換えであることを示す場合、および部分書き換え判定部２１からの判定結果信号が部分書き換えであることを示す場合の動作についてそれぞれ説明する。
【００３６】
部分書き換え判定部２１からの判定結果信号が全画面書き換えであることを示す場合、まず、スイッチＳＷ１〜ＳＷ３は、上述したように切り替えられる。続いて、ホストコントローラ１００からの同期信号に応じて、ゲートタイミング生成部２４でゲート信号が生成される。
【００３７】
次に、ホストコントローラ１００からの同期信号および画像データ信号に応じて、ソースタイミング生成部２５でソース信号およびソース信号でタイミング調整された画像データ信号が生成される。続いて、これらの信号がそれぞれゲートドライバ１２およびソースドライバ１３に供給され、全画面の画像データが書き換えられる。
【００３８】
一方、部分書き換え判定部２１からの判定結果信号が部分書き換えであることを示す場合、まず、スイッチＳＷ１〜ＳＷ３は、上述したように切り替えられる。続いて、自動タイミング生成部２２からの内部同期信号に応じて、ゲートタイミング生成部２４でゲート信号が生成される。
【００３９】
次に、自動タイミング生成部２２からの内部同期信号に応じて、ソースタイミング生成部２５でソース信号が生成される。また、メモリ２３に一時保存され、自動タイミング生成部２２からのメモリ制御信号に応じて出力された画像データ信号に基づいて、ソースタイミング生成部２５で、ソース信号でタイミング調整された画像データ信号が生成される。
【００４０】
続いて、これらの信号がそれぞれゲートドライバ１２およびソースドライバ１３に供給される。このとき、ＡＮＤ回路１４は、自動タイミング生成部２２からのゲートアクティブ制御信号に応じて、表示に変化がある部分のゲート出力のみを、液晶パネル１１に印加させる。これにより、表示に変化がある部分の画像データのみが書き換えられる。
【００４１】
図５は、この発明の実施の形態１に係るディスプレイの書き換え周期を示す説明図である。図５において、自動タイミング生成部２２が図３で示される内部同期信号を生成することにより、全画面の画像データが書き換えられる際の書き換え周期（６０Ｈｚ）よりも、表示に変化がある部分の画像データのみが書き換えられる際の書き換え周期を短くする（＞６０Ｈｚ）ことができる。
【００４２】
図６は、この発明の実施の形態１に係るディスプレイにおける表示とタッチ計算とのタイミングを示す説明図である。図６において、従来であれば、タイミングＡでディスプレイ１の下部をタッチした場合、タイミングＢで表示がフィードバックされるのに対して、この発明の実施の形態１では、タイミングＣまで時間を短縮することができる。
【００４３】
また、表示に変化がある部分の画像データのみを書き換える際の書き換え周期を１２０Ｈｚ相当とできる場合には、ペン入力によるタッチ座標の計算結果を、すべてディスプレイ１の表示にフィードバックすることができる。
【００４４】
このように、部分書き換え可能なディスプレイ１において、表示に変化がある部分のみ画像データを書き換えるとともに、表示に変化がない部分は、ゲートドライバ１２のシフトレジスタを高速で進めることにより、画像データの書き換えに要する時間を短縮し、ペン入力を高速にフィードバックすることができる。
【００４５】
以上のように、実施の形態１によれば、自動タイミング生成部は、表示部の表示に変化がある部分については、あらかじめ定められた周期の内部同期信号を生成するとともに、表示部の表示に変化がない部分については、表示部の表示に変化がある部分の書き換え周期よりも短い書き換え周期の内部同期信号を生成し、メモリは、表示部の表示に変化がある部分で、保存した画像データ信号を表示部に出力する。
そのため、部分書き換えによって消費電力を低減しながら、ペン入力を高速にフィードバック表示することにより、筆跡遅れを解消してユーザの違和感を解決することができる。
【符号の説明】
【００４６】
１  ディスプレイ、１０  液晶表示部、１１  液晶パネル、１２  ゲートドライバ、１３  ソースドライバ、１４  ＡＮＤ回路、２１  部分書き換え判定部、２２  自動タイミング生成部、２３  メモリ、２４  ゲートタイミング生成部、２５  ソースタイミング生成部、１００  ホストコントローラ、２１１  座標情報解読部。
【図１】
0006334378.tif 000002
【図２】
0006334378.tif 000003
【図３】
0006334378.tif 000004
【図４】
0006334378.tif 000005
【図５】
0006334378.tif 000006
【図６】
0006334378.tif 000007
【図７】
0006334378.tif 000008